(57)【要約】【課題】互いに相対移動する２つの部材間の摺動抵抗がさらに低減された相対移動部材を提供する。【解決手段】本発明の相対移動部材１１，１５は、第１面１１Ｂを有する第１部材１１と、前記第１部材１１と対向する第２面１５Ｂを有し、第１部材１１に対して相対移動する第２部材１５と、第１部材１１から第２面１５Ｂ側に延在して設けられる延在部２２を有する弾性部材２０と、を備え、延在部２２は、第１部材１１と第２部材１５とが相対移動する際に第２面１５Ｂと接触した状態で第２面１５Ｂ上を滑る接触部を有し、前記接触部には、ダイヤモンドライクカーボン皮膜２３が形成され、第２面１５Ｂの弾性部材２２の前記接触部との接触部分には、フッ素皮膜１５Ａが形成されていることを特徴とする。【選択図】図３
2015105959.tif 000002
【特許請求の範囲】
【請求項１】
第１面を有する第１部材と、
前記第１部材と対向する第２面を有し、前記第１部材に対して相対移動する第２部材と、
前記第１部材から前記第２面側に延在して設けられる延在部を有する弾性部材と、を備え、
前記延在部は、前記第１部材と前記第２部材とが相対移動する際に前記第２面と接触した状態で前記第２面上を滑る接触部を有し、
前記接触部には、ダイヤモンドライクカーボン皮膜が形成され、
前記第２面の前記弾性部材の前記接触部との接触部分には、フッ素皮膜が形成されていること、
を特徴とする相対移動部材。
【請求項２】
請求項１に記載の相対移動部材であって、
前記第１部材と前記第２部材とは筒状であり、
前記弾性部材は、前記第１部材の前記第１面と前記第２部材の前記第２面との間の隙間を遮蔽すること、
を特徴とする相対移動部材。
【請求項３】
請求項１または請求項２に記載の相対移動部材であって、
前記弾性部材は、前記延在部と一体的に設けられ、前記第１部材の端面に取り付けられる取付部を有すること、
を特徴とする相対移動部材。
【請求項４】
請求項１から請求項３のいずれか１項に記載の相対移動部材であって、
前記ダイヤモンドライクカーボン皮膜は、前記延在部の前記接触部を有する面に形成されていること、
を特徴とする相対移動部材。
【請求項５】
請求項１から請求項４のいずれか１項に記載の相対移動部材を備え、
前記第２部材は、レンズを保持していること、
を特徴とするレンズ鏡筒。 
【発明の詳細な説明】
【技術分野】
【０００１】
本発明は、相対移動部材及びレンズ鏡筒に関するものである。
【背景技術】
【０００２】
従来、内筒と外筒との間の隙間を塞ぐようにして外筒に弾性遮蔽部材を取り付け、その内筒と外筒との間の隙間からレンズ鏡筒の内部への浸水を防止しているレンズ鏡筒やカメラがある。その際、弾性遮蔽部材と内筒との間の摺動摩擦抵抗を下げるために、弾性遮蔽部材の内筒側の摺動面にダイヤモンドライクカーボン皮膜を付与して摺動抵抗を低減している（特許文献１参照）。
【先行技術文献】
【特許文献】
【０００３】
【特許文献１】特開２０００−１９３８７０号公報
【発明の概要】
【発明が解決しようとする課題】
【０００４】
本発明の課題は、互いに相対移動する２つの部材間の摺動抵抗がさらに低減された相対移動部材及びレンズ鏡筒を提供することである。
【課題を解決するための手段】
【０００５】
本発明は、以下のような解決手段により前記課題を解決する。
請求項１に記載の発明は、第１面を有する第１部材と、前記第１部材と対向する第２面を有し、前記第１部材に対して相対移動する第２部材と、前記第１部材から前記第２面側に延在して設けられる延在部を有する弾性部材と、を備え、前記延在部は、前記第１部材と前記第２部材とが相対移動する際に前記第２面と接触した状態で前記第２面上を滑る接触部を有し、前記接触部には、ダイヤモンドライクカーボン皮膜が形成され、前記第２面の前記弾性部材の前記接触部との接触部分には、フッ素皮膜が形成されていること、を特徴とする。
請求項２に記載の発明は、請求項１に記載の相対移動部材であって、前記第１部材と前記第２部材とは筒状であり、前記弾性部材は、前記第１部材の前記第１面と前記第２部材の前記第２面との間の隙間を遮蔽すること、を特徴とする。
請求項３に記載の発明は、請求項１または請求項２に記載の相対移動部材であって、  前記弾性部材は、前記延在部と一体的に設けられ、前記第１部材の端面に取り付けられる取付部を有すること、を特徴とする。
請求項４に記載の発明は、請求項１から請求項３のいずれか１項に記載の相対移動部材であって、前記ダイヤモンドライクカーボン皮膜は、前記延在部の前記接触部を有する面に形成されていること、を特徴とする。
請求項５に記載の発明は、請求項１から請求項４のいずれか１項に記載の相対移動部材を備え、前記第２部材は、レンズを保持していること、を特徴とするレンズ鏡筒である。
なお、上記構成は、適宜改良してもよく、また、少なくとも一部を他の構成物に代替してもよい。
【発明の効果】
【０００６】
本発明によれば、互いに相対移動する２つの部材間の摺動抵抗がさらに低減された相対移動部材及びレンズ鏡筒を提供することができる。
【図面の簡単な説明】
【０００７】
【図１】本発明の一実施形態を適用したカメラの撮影待機状態における縦断面を概念的に示す図である。
【図２】レンズ鏡筒が沈胴状態にあるカメラの縦断面を概念的に示す図である。
【図３】固定筒の被写体側の端部付近の断面図であり、（ａ）は固定筒の内側に移動筒が配置されている状態、（ｂ）は移動筒が配置されていない状態を示す
【図４】接触角を説明する図である。
【発明を実施するための形態】
【０００８】
以下、図面等を参照して、本発明の実施形態について説明する。図１は、本発明の一実施形態を適用したカメラ１の撮影待機状態における縦断面を概念的に示す図である。図２は、レンズ鏡筒１０が沈胴状態（レンズ鏡筒１０がカメラ本体２に収納された状態、縮筒状態）にあるカメラ１の縦断面を概念的に示す図である。
【０００９】
なお、各図には、適宜、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
カメラ１は、カメラ本体２とレンズ鏡筒１０とから構成されたデジタルカメラである。
カメラ本体２は、筐体２Ａの内部に撮像素子３を備えている。
撮像素子３は、撮像面がレンズ鏡筒１０の光軸ＯＡと直交する姿勢で、撮像素子台４に固定されている。
撮像素子３は、レンズ鏡筒１０によって撮像面に結像された画像を電気信号に変換して出力する。
【００１１】
レンズ鏡筒１０は、不使用時にはカメラ本体２に収納され、使用時にはカメラ本体２から突出すると共に焦点距離を変化（ズーミング）させることのできる、いわゆる沈胴式のズームレンズである。
つまり、レンズ鏡筒１０は、電力供給が停止している非影状態においては図２に示すようにカメラ本体２の内部に収容され、電力が供給されると図１に示すようにカメラ本体２の前面側に突出して撮影待機状態となる。
【００１２】
レンズ鏡筒１０は、当該カメラ１における結像光学系を構成する２組のレンズ群（第１レンズ群Ｌ１及び第２レンズ群Ｌ２）を備えている。
これら２組のレンズ群は、被写体像を撮像素子３の撮像面に結像させる。レンズ鏡筒１０は、レンズ群Ｌ１，Ｌ２がそれぞれ光軸ＯＡ方向に移動することにより、焦点距離が変化し、また、フォーカシングが行われる。
【００１３】
そして、カメラ１は、レンズ鏡筒１０が備えるレンズ群（第１レンズ群Ｌ１，第２レンズ群Ｌ２）が被写体像光を撮像素子の受光面に結像させ、撮影者による図示しないレリーズボタンの押圧操作によって、撮像素子３が電気信号に変換した被写体の画像情報を、図示しない記憶装置に記録（撮影）する。これら撮影を含むカメラ１における全ての動作制御は、図示しないカメラ１内の制御装置によって行われる。
【００１４】
つぎに、レンズ鏡筒１０について詳細に説明する。
図１及び２に示すように、レンズ鏡筒１０は、筐体２Ａ内に位置する固定筒１１と、その固定筒１１の内部に配置され、１群移動筒１５、２群移動筒１７を備え、固定筒１１、１群移動筒１５及び２群移動筒１７は、順次Ｙ軸方向に小径化して多段式に配置されている。
１群移動筒１５は、前面側に１群レンズ群Ｌ１を保持する第１レンズ室１６を備えている。１群移動筒１５の内周側には、２群移動筒１７が挿入されている。２群移動筒１７の内周側には、内周に第２レンズ群Ｌ２を保持する第２レンズ室１８が配置されている。
【００１５】
以下、レンズ鏡筒１０における各構成要素を、順を追って説明する。
固定筒１１は、その内周面に、１群移動筒１５を移動駆動する回転筒駆動ヘリコイド溝１１Ａを備えている。
【００１６】
１群移動筒１５は、固定筒１１の内周に摺動移動可能に嵌合している。
１群移動筒１５の外周には、固定筒１１の回転筒駆動ヘリコイド溝１１Ａに摺動移動可能に嵌合する駆動ピン１２Ａが突設されている。
１群移動筒１５には、図示しない沈胴・ズーム駆動モータが連繋している。これにより、１群移動筒１５は、沈胴・ズーム駆動モータによって回転駆動されるようになっている。
【００１７】
２群移動筒１７は、１群移動筒１５の内周に摺動移動可能に嵌合している。
２群移動筒１７の背面側端部近傍の外周には、フォロアピン１７Ａが突設されている。フォロアピン１７Ａは、１群移動筒１５のカム溝１５Ｂに摺動可能に嵌合している。
【００１８】
上記のような構成によって、レンズ鏡筒１０は、図１に示すように固定筒１１から１群移動筒１５及び２群移動筒１７が所定量突出した撮影待機状態と、図２に示すように１群移動筒１５及び２群移動筒１７がほとんど固定筒１１に収容された沈胴状態と、の間で収縮／伸長する。
【００１９】
図３は固定筒１１の被写体側の端部付近の断面図であり、（ａ）は固定筒１１の内側に１群移動筒１５が配置されている状態、（ｂ）は１群移動筒１５が配置されていない状態を示す。
図示するように、固定筒１１の被写体側の端面には、第１弾性円環部材２０が取り付けられている。第１弾性円環部材２０は、円環状であって、断面が矩形の取付部２１と、その取付部２１から内径側に延び且つ取付部２１よりも肉薄の遮蔽部２２とを備える。本実施形態では、取付部２１と遮蔽部２２とは一体的に形成されている。
【００２０】
第１弾性円環部材２０の取付部２１は、固定筒１１の被写体側の端面に貼着されている。取付部２１から延びる遮蔽部２２は、固定筒１１の内面１１Ｂ側に突き出すように配置されている。そして、遮蔽部２２の一面にはダイヤモンドライクカーボン（ＤＬＣ）膜２３が形成されている。
遮蔽部２２は、１群移動筒１５が内周に配置されていない状態では、図３（ｂ）に示すように径方向に直線状に延びる。しかし、遮蔽部２２の内径は、１群移動筒１５の外径よりも小さい。したがって、遮蔽部２２の内径側に１群移動筒１５が配置された図３（ａ）の状態（組み立てられた状態）で遮蔽部２２は湾曲して、１群移動筒１５側の部分が１群移動筒１５の外周面１５Ｂ（固定筒１１の内面１１Ｂと対向する面）に接触する。この場合には、遮蔽部２２は、固定筒１１の内面１１Ｂと１群移動筒１５の外周面１５Ｂとの間の隙間を遮蔽した状態となる。
【００２１】
上述のＤＬＣ膜２３が形成されている一面とは、この湾曲して１群移動筒１５と接するようになった面である。また、この面は、カメラ１又はレンズ鏡筒１０の内部側を向いている面である。
一方、１群移動筒１５の外周面１５Ｂにはフッ素膜１５Ａが形成されている。
【００２２】
図１及び図２に戻り、筐体２Ａは被写体側に開口部２Ｂを備える。
開口部２Ｂには固定筒１１が挿入され、固定筒１１は開口部２Ｂの被写体側にわずかに突き出ている。
被写体側筐体２Ａの開口部２Ｂ付近の被写体側には、第２弾性円環部材３０が取り付けられている。第２弾性円環部材３０は、第１弾性円環部材２０と同様の形状であり、筐体２Ａの開口部２Ｂの縁部の被写体側に貼着されている。
【００２３】
ここで、筐体２Ａと固定筒１１とは本実施形態において相対移動しないので、第１弾性円環部材２０には、ＤＬＣ膜は形成されていない。また固定筒１１の外周にフッ素膜も形成されていない。
【００２４】
また、第１弾性円環部材２０と第２弾性円環部材３０の被写体側（Ｚプラス側）には飾り環４０が取り付けられている。
飾り環４０は、被写体側に向かって小径になった円環部材である。大径側の端部はカメラ筐体２Ａに接着され、第２弾性円環部材３０の取付部３１、遮蔽部３２、第１弾性円環部材２０の取付部２１の被写体側を覆っている。
【００２５】
本実施形態において、固定筒１１に対して１群移動筒１５が移動（沈胴状態から撮影待機状態への移動、又は、撮影待機状態から沈胴状態への移動）する際、遮蔽部２２のＤＬＣ２３膜が、１群移動筒１５フッ素膜１５Ａとが接した状態で、そのフッ素膜１５Ａ上を移動する。したがって、１群移動筒１５の固定筒１１に対する摺動摩擦抵抗が小さくなり、１群移動筒１５の固定筒１１に対する光軸ＯＡ方向の移動が滑らかになる。
【００２６】
また、遮蔽部２２，２３が設けられているため、雨や高湿度での使用時においても、水分が固定筒１１と１群移動筒１５との間の隙間に浸入することがない。
さらに、ＤＬＣ２３膜は疎水性が高く、フッ素膜１５Ａは撥水性が高いので、水分をはじくので、固定筒１１と１群移動筒１５との間の隙間への水の浸入の可能性がより小さくなる。
また、遮蔽部２２，２３によって水分だけでなく塵埃の固定筒１１と１群移動筒１５との間の隙間への浸入も防止される。
【００２７】
なお、ＤＬＣ膜を１群移動筒１５の外周に形成し、フッ素膜を遮蔽部２２に形成してもよい。しかし、この場合、ＤＬＣ膜を遮蔽部２２に形成し、フッ素膜を１群移動筒１５の外周に形成する場合と比べると、ＤＬＣ膜を形成する面積が大きくなるので、ＤＬＣ膜を形成する設備が大きくなり、コストがかかる。
本実施形態によると、ＤＬＣ膜を遮蔽部２２に形成しているので、ＤＬＣ膜を形成する設備を大きくする必要がない。
【００２８】
さらに、本実施形態によると、飾り環４０が取り付けられているので、固定筒１１と１群移動筒１５との間の隙間及び固定筒１１と１群移動筒１５との間の隙間筐体２Ａと固定筒１１との間の隙間への水や塵埃の進入が防止される。また、飾り環４０が設けられているため、第１弾性円環部材２０、第２弾性円環部材３０の外側（被写体側、外側）がカバーされ、カメラ１としての概観が損なわれない。
【００２９】
以上、本発明の好適な実施形態について説明したが、本発明はこれに限定されず、遮蔽部２２に形成する膜はＤＬＣに限らず他の疎水性の膜でもよい。また、１群移動筒１５に形成する膜はフッ素膜に限らず他の撥水性の膜でもよい。
なお、本明細書において撥水性又は疎水性を有するとは、接触角が１０５°以上になるものをいう。接触角は図４に示すθであって、水は真水である。
【符号の説明】
【００３０】
１：カメラ、２：カメラ本体、２Ａ：カメラ筐体、２Ｂ：開口部、１０：レンズ鏡筒、１１：固定筒、１５：移動筒、１５Ａ：フッ素膜、２０：第１弾性円環部材、２１：取付部、２２：遮蔽部、２３：ダイヤモンドカーボンライク皮膜、３０：第２弾性円環部材、３１：取付部、３２：遮蔽部、４０：飾り環
【図１】
2015105959.tif 000003
【図２】
2015105959.tif 000004
【図３】
2015105959.tif 000005
【図４】
2015105959.tif 000006